(57)【要約】【課題】  ファンによって負圧を発生させると、吸引プラテンに穿設された多数の吸引口からの風が集結するため、風の衝突や振動によって異音（以下笛吹き音と呼ぶ）が発生することがある。音の発生を抑えることのできる記録装置を提供することを目的とする。【解決手段】  笛吹き音の発生を抑えるために、前記吸引プラテン裏面で、排気口と対向する部分に、少なくとも前記排気口幅より大きい幅間隔でリブを配置していることを特徴とするものである。【選択図】  図５
2005313429.tif 000002
【特許請求の範囲】
【請求項１】
記録媒体に画像を形成し搬送する紙送り機構部と、多数の吸引口を穿設したプラテンと、プラテン内側の空間から空気を吸引して排出するための排気口と排気手段とを備えた画像記録装置において、前記排気口と前記吸気口との間に前記排気口より広い面積の整流部材を設けたことを特徴とする記録装置。
【請求項２】
前記排気口は複数備えられていることを特徴とする、請求項１に記載の記録装置。
【請求項３】
前記整流部材は薄板部材からなり、前記プラテン内側または前記排気口周辺に取り付けられていることを特徴とする請求項１または２に記載の記録装置。
【請求項４】
前記整流部材は、前記プラテン、または前記排気口を構成する部材と一体で成型されることを特徴とした請求項１または２に記載の記録装置。
【発明の詳細な説明】
【技術分野】
【０００１】
本発明は、記録媒体を吸引しつつ記録を行うインクジェット記録装置に関するものである。
【背景技術】
【０００２】
従来、インクジェット記録装置においてはインクが記録ヘッドの吐出孔面から垂直に噴射されることが望ましいが、様々な要因で噴射方向が傾いてしまい、インクの着弾位置にずれが生じ、画質が悪化する場合がある。この場合、吐出孔面と記録媒体との間の距離（ノズル高さ）が小さいほど着弾位置のずれは少なくてすむ。しかしノズル高さを小さくすると、記録媒体の反り（カール）やベタ画像記録時のインク吸収による波打ち（コックリング）等により記録媒体と吐出孔面とが接触し、記録媒体にインク汚れが付着してしまう恐れがある。
【発明の開示】
【発明が解決しようとする課題】
【０００３】
そこで特開平06-064175に示すように、記録ヘッドと対向する位置に吸引プラテンを設け、記録媒体の反りや波打ちを抑えつつ、ノズル高さを低くする構成が提案されている。吸引プラテンとは、箱状に形成された吸引箱で、記録媒体接触面に多数の吸引口を穿設し、さらに内部の空気を排気するための排気口を穿設しており、この排気口からファンによって内部の空気を外部に排気することによって吸引箱内に負圧を発生させ、記録媒体接触面に記録媒体を吸着させて保持することができるプラテンである。
【０００４】
しかしながら、前記ファンによって内部から排気することで負圧を発生させると、この前期排気口に前記吸引プラテンに穿設された多数の吸引口からの風が集結するため、楽器に空気を吹き込むのに似た現象で風の衝突や振動が起こり、異音（以下笛吹き音と呼ぶ）が発生することがある。この笛吹き音は、記録媒体のサイズや表面粗さ等により流入する空気の量と風速が変わるため、必ず発生するわけではない。しかし、記録装置を取り巻く環境が変化すると、突如として発生し、止めることが出来なくなることがある。
【０００５】
本発明は、この耳障りな笛吹き音の発生を抑えることのできる記録装置を提供することを目的とする。
【課題を解決するための手段】
【０００６】
上記目的を達成するための本発明の記録装置は、記録媒体に画像を形成し搬送する紙送り機構部と、プラテン内側の空間から空気を吸引して排出するための排気口と排気手段とを備えた画像記録装置において、前記排気口と吸気口との間に前記排気口より広い面積の整流部材を設けたことを特徴とするものである。
【０００７】
また、前記排気口は、複数備えられていてもよい。
【０００８】
また、前記整流部材は薄板部材からなり、前記プラテン内側または前記排気口周辺に取り付けられていることを特徴としてもよい。
【０００９】
さらに、前記整流部材は、前記プラテン、または前記排気口を構成する部材と一体で成型されることを特徴としてもよい。
【特許文献１】特開平06-064175
【発明の効果】
【００１０】
記録装置において、本発明の整流部材を設けることにより、印字中に紙をプラテンに吸着させるファンにより発生する笛吹き音を効果的に防止することが出来、低騒音のプリンタを実現できる。
【発明を実施するための最良の形態】
【００１１】
以下に、発明を実施するための最良の形態をあげる。
【実施例１】
【００１２】
以下、図面を参照して本発明の記録装置の一実施形態を説明する。
【００１３】
先ず、図１を参照して、本発明の記録装置の一実施形態が組み込まれた記録装置全体の概略構成を説明する。
【００１４】
図１は、正面から見た記録装置全体の概略構成を示す斜視図である。
【００１５】
インクジェット記録装置１には、搬送されるロール状の記録媒体が載置されるプラテン２が形成されている。このプラテン２の上方には、プラテン２に対して並行にレール支持板３が掛け渡されている。レール支持板３には、モータ（図示せず）とベルト（図示せず）によって主走査方向に自在に往復動するキャリッジ（図示せず）が取り付けられている。キャリッジには印字ヘッド（図示せず）が着脱自在に搭載されている。印字ヘッドには、インクが吐出するインク吐出口が多数形成されている。インク吐出口の前方でプラテン２上方は、画像が形成される印字領域であり、記録媒体のうち、この印字領域に位置する部分に、所定のタイミングで印字ヘッドのインク吐出口からインクが吐出されて１バンド分の画像が形成される。その後、記録媒体を挟持している記録媒体搬送装置の搬送ローラ４とピンチローラ５で記録媒体を１バンド分の幅だけ搬送して停止させ、再度キャリッジを主走査方向に往復動させながら、所定のタイミングで印字ヘッドのインク吐出口からインクを吐出し、記録媒体のうち印字領域に新たに位置する部分に画像を形成する。このような動作を繰り返すことによって記録媒体に画像を形成する。
【００１６】
ここで、本発明の記録装置の一実施例が組み込まれたインクジェット記録装置は、記録媒体に画像を形成する際に起こる記録媒体の反りや波打ちを抑えるために吸引プラテン方式を取り入れた構成となっている。
【００１７】
図２、３、４を参照して、本発明の記録装置の一実施例が組み込まれたインクジェット記録装置の吸引プラテン方式の概略について説明する。
【００１８】
図２は、正面から見た本発明の記録装置の一実施例が組み込まれたインクジェット記録装置の吸引プラテン内部の概略を示す斜視図である。
【００１９】
本発明の記録装置は、図２に示すように吸引ファン６、ダクト７を備え、このダクト７を介してプラテン２の内部の空気を吸引ファン６によって排気し、プラテン２内を負圧に保つことにより記録媒体をプラテン２に吸着させ、画像を形成する構成となっている。
【００２０】
ここで、プラテン２の構成について説明する。
【００２１】
図３、図４は、プラテン２の概略を示す斜視図である。
【００２２】
図３、図４に示すようにプラテン２は、プラテントップ２aと、プラテンベース２bが合わさって形成された箱状のものであり、プラテントップ２aには記録媒体を吸着させるための多数の吸引口２cと、プラテンベース２bにはプラテン２内の空気を排気し負圧にするための排気口２dを備えている。
【００２３】
このような構成からなる吸引プラテン方式は、吸引ファン６によって内部の空気を排気することで負圧を発生させると、この排気口２dにプラテントップ２aに穿設された多数の吸引口２cからの大量の滑らかな流れの風が集結するため、ちょうど楽器に空気を吹き込んだ時と同様の効果で風の衝突や振動により笛吹き音が発生することがある。この笛吹き音を抑える記録装置の概略について以下に示す。
【００２４】
図５は、本発明の記録装置の主要部を示した斜視図である。
【００２５】
また、図６は、本発明の記録装置の主要部の断面図である。
【００２６】
図５に示すように、プラテントップ２aの多数の吸引口２cから吸われた空気は、すべてプラテンベース２dに設けた排気口に集結する。このときの風の衝突や振動を抑えるために設けたのが、整流部材であるところの笛吹き防止板８である。
【００２７】
排気口２dの入り口に笛吹き防止板８をかぶせることにより、排気口２ｄに向かう空気の流れＡが吸引口２ｃから吸い込まれる空気の流れにＣに乱されることなく一定の滑らかな流れＢとなって排気口２ｄ流入することとなり、衝突による振動が発生することがなくなり笛吹き音を抑えることができる。
【００２８】
また、記録装置が大型の場合には、排気口２ｄが複数設けられていることがあるが、その時は、各排気口の入り口にかぶせる形で笛吹き防止板を複数配置することは、言うまでもない。
【００２９】
さらに、本実施例では、笛吹き防止板８として薄板を加工したコの字形状のものを貼り付けて採用しているが、例えば同様の効果を発揮できるなら、排気口２ｄを構成する部材またはプラテントップと一体に成型してもよい。
【００３０】
このように、本発明の構成をした記録装置にすることで、吸引プラテン方式においてプラテンに穿設された多数の吸引口からの風が排気口に集結することによって起こる、風の衝突や振動による笛吹き音の発生を抑えることのできる記録装置を提供することが可能となった。
【図面の簡単な説明】
【００３１】
【図１】本発明の記録装置の一実施例が組み込まれたインクジェット記録装置全体を示す斜視図である。
【図２】本発明の記録装置の一実施例が組み込まれたインクジェット記録装置の吸引プラテン方式の概略を示す斜視図である。
【図３】プラテンの概略を示す斜視図である。
【図４】プラテンの概略を示す斜視図である。
【図５】本発明の記録装置の一実施例を示した斜視図である。
【図６】本発明の記録装置の一実施例を示したプラテンの断面図である。
【符号の説明】
【００３２】
１  インクジェット記録装置
２  プラテン
３  レール支持板
４  搬送ローラ
５  ピンチローラ
６  吸引ファン
７  ダクト
８  笛吹き防止板1
2a  プラテントップ
2b  プラテンベース
2c  吸引口
2d  排気口
【図１】
2005313429.tif 000003
【図２】
2005313429.tif 000004
【図３】
2005313429.tif 000005
【図４】
2005313429.tif 000006
【図５】
2005313429.tif 000007
【図６】
2005313429.tif 000008